(57)【要約】      （修正有）【課題】マフラーからの排気がスムーズに行われ、製作、組立が容易であり、また、バンパーにアウターピース構成部とインナーピース構成部とは構造堅牢に取付けられ、外観的に見映えがし、製作コストが安価になるマフラー・ガーニッシュ装置を提供する。【解決手段】バンパー１やガーニッシュ本体に開設された排気孔３と、バンパーやガーニッシュ本体に沿った曲面状に立上げられた外鍔部４を外周面に有して排気孔に装設されたアウターピース構成部５を備える。さらに、外鍔部の裏面に連設される外縁部６を有し、排気孔に連なる前方大径口７ａから錐状をなし、後端にマフラー受入口を有する耐熱性の合成樹脂により構成されたインナーピース構成部７と、マフラー受入口内に取付けられる金属製の緩衝リング８内に遊挿されるマフラーの排気筒１０と、を備える。【選択図】図５
0003167024.tif 000002
【実用新案登録請求の範囲】
【請求項１】
既設のバンパーまたはバンパーに取付けられる長尺のガーニッシュ本体に開設された適宜形状の排気孔と、
正面が適宜形状のリング状をなし、前面から外周部が前記バンパーまたは前記ガーニッシュ本体に沿った曲面状に立上げられた外鍔部を外周面に有して前記排気孔の周囲に装設されるアウターピース構成部と、
外形全体が錐状に形成され、外周には前記外鍔部の裏面に連設される外縁部を有し、内部前面には前記排気孔に連なる前方大径口を、その奥には前記前方大径口から奧に進むのにつれて錐状をなし、後端には小径なマフラー受入口を有する耐熱性の合成樹脂により構成されたインナーピース構成部と、
前記マフラー受入口内に取付けられる金属製の緩衝リングと、
前記緩衝リング内に遊挿されるマフラーの排気筒と、を備えている
ことを特徴とするマフラー・ガーニッシュ装置。
【請求項２】
前記アウターピース構成部および前記インナーピース構成部が、別体に構成され、
前記インナーピース構成部が、前記排気孔内に前面から嵌入されて固着手段を介して前記バンパーに取付けられ、
前記アウターピース構成部が、固定手段を介して前記インナーピース構成部に取付けられる
ことを特徴とする請求項１に記載のマフラー・ガーニッシュ装置。
【請求項３】
前記アウターピース構成部が、ガーニッシュ表装板に一体に構成され、
前記インナーピース構成部が、前記ガーニッシュ本体に一体に構成され、
前記ガーニッシュ表装板が前記ガーニッシュ本体に適宜取付手段により取付けられる
ことを特徴とする請求項１に記載のマフラー・ガーニッシュ装置。
【請求項４】
前記緩衝リング内に前記排気筒が、３ｍｍ以上の間隙をあけて遊挿されてボルト止めされることを特徴とする請求項１−３の何れかに記載のマフラー・ガーニッシュ装置。
【請求項５】
前記固定手段が、前記アウターピース構成部の前記外鍔部と前記インナーピース構成部の前記外縁部とを、両面接着テープまたは接着剤を介して接着することを特徴とする請求項１,２,４の何れかに記載のマフラー・ガーニッシュ装置。
【請求項６】
前記固着手段が、前記インナーピース構成部の前記外縁部の裏面において、上方の左右および下方中央に設けた取付片を前記バンパーおよび前記ガーニッシュ本体の対応部位置にボルト止めすることを特徴とする請求項１,２,４の何れかに記載のマフラー・ガーニッシュ装置。
【請求項７】
前記インナーピース構成部および前記アウターピース構成部が、合成樹脂により形成されていることを特徴とする請求項１,２,４,５,６の何れかに記載のマフラー・ガーニッシュ装置。
【考案の詳細な説明】
【技術分野】
【０００１】
本考案はマフラー・ガーニッシュ装置に関し、自動車の運転時にエンジンからの排気がスムーズに行われ、製作、組立が容易であり、そして、バンパーに対してアウターピース構成部とインナーピース構成部とは構造堅牢に取付けられて取付性に優れ、外観的に見映えがし、製作コストが安価になる。
【背景技術】
【０００２】
従来、ステンレスにより筒状に形成され、端部には側方へフランジ部を延出したディフュザーがバンパーに一体的に設けられ、前記ディフューザーにマフラーの端部が遊嵌されるバンパー一体型マフラー構造において、前記ディフューザーに遊嵌された前記マフラー端部の外周面にステンレスメッシュよりなる緩衝部材を設けたバンパー一体型マフラー構造のものがあった（例えば特許文献１参照）。
【先行技術文献】
【特許文献】
【０００３】
【特許文献１】特開２００７−８３８６２号公報
【考案の概要】
【考案が解決しようとする課題】
【０００４】
しかしながら、上記特許文献１に記載の上記従来のバンパー一体型マフラー構造は、ディフュザーがステンレスにより筒状に形成され、リアバンパーの両端部に開設された横長形状の排気部に、挿入され、マフラーの先端部をディフューザーの筒状部に遊嵌し、マフラーのテールパイプの端部の水平部にステンレスメッシュを設けて緩衝部材を構成しているので、マフラーの小径の先端部と、マフラーの先端部が遊嵌されている大径のディフューザーの筒状部との間には、不連続な段差を生じているため、自動車の運転時にエンジンからの排気は、マフラーのテールパイプの小径の端部における水平部から、この水平部が遊嵌されているディフューザーの大径の筒状部内へと噴出されて乱流を生じ、その後、外部へと排出されるため、スムーズに行われず、排気効率は充分であるとはいえなかった。
【０００５】
また、特許文献１に記載の上記従来のバンパー一体型マフラー構造は、ディフューザーは、リアバンパーの両端部に開設された横長形状の排気部に、挿入されるので、合成樹脂製のバンパーと、ステンレスにより筒状に形成されたディフューザーとの異なる材料の取付であるため、その取付けは構造的に脆弱であった。
【０００６】
しかも、特許文献１に記載の上記従来のバンパー一体型マフラー構造は、製作には、先ず、ステンレス板を成形型により筒状に丸めて筒状体を形成し、次いで、その筒状体の衝合縁部を溶接していた。このような溶接作業を必要とするので、多大な時間と手間がかかる。
【０００７】
さらに、特許文献１に記載の上記従来のバンパー一体型マフラー構造は、前記ディフューザーに遊嵌されるマフラー端部の外周面に設けた緩衝部材が、ステンレスメッシュにより形成されているので、緩衝部材によるマフラーの端部の緩衝機能が充分に行えるとは言えなかった。
【０００８】
本考案は上記従来の欠点を解決し、運転時にマフラーからの排気がスムーズに行われ、また、製作および組立が容易であり、そして、バンパーに対してアウターピース構成部およびインナーピース構成部は構造堅牢に取付けられて取付性に優れ、しかも、外観的にスマート感やスポーツ感が発揮されて見映えがし、製作コストが安価なマフラー・ガーニッシュ装置を提供することを目的とする。
【課題を解決するための手段】
【０００９】
本考案の請求項１に記載の考案は、既設のバンパーまたはバンパーに取付けられる長尺のガーニッシュ本体に開設された適宜形状の排気孔と、
正面が適宜形状のリング状をなし、前面から外周部が前記バンパーまたは前記ガーニッシュ本体に沿った曲面状に立上げられた外鍔部を外周面に有して前記排気孔の周囲に装設されるアウターピース構成部と、
外形全体が錐状に形成され、外周には前記外鍔部の裏面に連設される外縁部を有し、内部前面には前記排気孔に連なる前方大径口を、その奥には前記前方大径口から奧に進むのにつれて錐状をなし、後端には小径なマフラー受入口を有する耐熱性の合成樹脂により構成されたインナーピース構成部と、
前記マフラー受入口内に取付けられる金属製の緩衝リングと、
前記緩衝リング内に遊挿されるマフラーの排気筒と、を備えている
ことを特徴とする。
【００１０】
また、本考案の請求項２に記載の考案は、請求項１において、前記アウターピース構成部および前記インナーピース構成部が、別体に構成され、
前記インナーピース構成部が、前記排気孔内に前面から嵌入されて固着手段を介して前記バンパーに取付けられ、
前記アウターピース構成部が、固定手段を介して前記インナーピース構成部に取付けられる
ことを特徴とする。
【００１１】
また、本考案の請求項３に記載の考案は、請求項１において、前記アウターピース構成部が、ガーニッシュ表装板に一体に構成され、前記インナーピース構成部が、前記ガーニッシュ本体に一体に構成され、前記ガーニッシュ表装板が、前記ガーニッシュ本体に適宜取付手段により取付けられることを特徴とする。
【００１２】
また、本考案の請求項４に記載の考案は、請求項１−３の何れかにおいて、前記緩衝リング内に前記排気筒が、３ｍｍ以上の間隙をあけて遊挿されてボルト止めされることを特徴とする。
【００１３】
また、本考案の請求項５に記載の考案は、請求項１,２,４の何れかにおいて、前記固定手段が、前記アウターピース構成部の前記外鍔部と前記インナーピース構成部の前記外縁部とを、両面接着テープまたは接着剤を介して接着することを特徴とする。
【００１４】
また、本考案の請求項６に記載の考案は、請求項１,２,４の何れかにおいて、前記固着手段が、前記インナーピース構成部の前記外縁部の裏面において、上方の左右および下方中央に設けた取付片を前記バンパーおよび前記ガーニッシュ本体の対応部位置にボルト止めすることを特徴とする。
【００１５】
また、本考案の請求項７に記載の考案は、請求項１,２,４,５,６の何れかにおいて、前記インナーピース構成部および前記アウターピース構成部が、合成樹脂により形成されていることを特徴とする。
【考案の効果】
【００１６】
本考案の請求項１に記載の考案によれば、既設のバンパーまたはバンパーに取付けられる長尺のガーニッシュ本体に開設された適宜形状の排気孔と、正面が適宜形状のリング状をなし、前面から外周部が前記バンパーまたは前記ガーニッシュ本体に沿った曲面状に立上げられた外鍔部を外周面に有して前記排気孔の周囲に装設されるアウターピース構成部と、外形全体が錐状に形成され、外周には前記外鍔部の裏面に連設される外縁部を有し、内部前面には前記排気孔に連なる前方大径口を、その奥には前記前方大径口から奧に進むのにつれて錐状をなし、後端には小径なマフラー受入口を有する耐熱性の合成樹脂により構成されたインナーピース構成部と、前記マフラー受入口内に取付けられる金属製の緩衝リングと、前記緩衝リング内に遊挿されるマフラーの排気筒と、を備えているので、エンジンからの排気は、耐熱性の合成樹脂により構成されたインナーピース構成部の後端に設けられた小径なマフラー受入口内に取付けられる金属製の緩衝リングによりマフラーの排気筒からの廃熱を直接受けるのを緩衝され、錐状のインナーピース構成部を通じて前方大径口から外部へとスムーズに行われる。
【００１７】
また、本考案のマフラー・ガーニッシュ装置は、ディフュザーがステンレスにより筒状に形成される特許文献１に記載された従来のバンパー一体型マフラー構造では、ステンレス板を成形型により筒状に丸めて筒状体を形成し、次いで、その筒状体の衝合縁部を溶接するという溶接作業を必要として多大な時間と手間がかかるのとは異なり、インナーピース構成部が、耐熱性の合成樹脂により構成されているので、成形型を用いることにより容易かつ確実に形成することができ、製作および組立が容易に行え、製作コストは安価になる。
【００１８】
そして、バンパーに対してアウターピース構成部およびインナーピース構成部は構造堅牢に取付けられて取付性に優れる。しかも、既設のバンパーまたはバンパーに取付けられる長尺のガーニッシュ本体に開設された適宜形状の排気孔の孔縁に取付けられるアウターピース構成部内にインナーピース構成部が臨まれる。そして、このインナーピース構成部の後端に設けられたマフラー受入口内にマフラーの端部が挿入されるため、外観的にスマート感やスポーツ感が発揮されて見映えがする。
【００１９】
また、本考案の請求項２に記載の考案によれば、請求項１において、前記アウターピース構成部および前記インナーピース構成部が、別体に構成され、前記インナーピース構成部が、前記排気孔内に前面から嵌入されて固着手段を介して前記バンパーに取付けられ、前記アウターピース構成部が、固定手段を介して前記インナーピース構成部に取付けられるので、既設のバンパーまたはバンパーに取付けられる長尺のガーニッシュ本体に開設された適宜形状の排気孔に、インナーピース構成部が、前記排気孔内に前面から嵌入されて固着手段を介して前記バンパーまたは前記ガーニッシュ本体に取付けられ、前記アウターピース構成部が、固定手段を介して前記インナーピース構成部に取付けられるため、本考案のマフラー・ガーニッシュ装置は、取付性が良い。
【００２０】
しかも、本考案のマフラー・ガーニッシュ装置は、ディフュザーが、ステンレスにより筒状に形成される特許文献１に記載された従来のバンパー一体型マフラー構造では、ステンレス板を成形型により筒状に丸めて筒状体を形成し、次いで、その筒状体の衝合縁部を溶接する溶接作業を必要とするから、多大な時間と手間がかかるのとは異なり、インナーピース構成部が、耐熱性の合成樹脂により構成されているので、成形型を用いることにより容易かつ確実に形成することができ、製作および組立が容易に行え、製作コストは安価になる。
【００２１】
また、本考案の請求項３に記載の考案によれば、請求項１において、前記アウターピース構成部が、ガーニッシュ表装板に一体に構成され、前記インナーピース構成部が、前記ガーニッシュ本体に一体に構成され、前記ガーニッシュ表装板が、前記ガーニッシュ本体に適宜取付手段により取付けられるので、アウターピース構成部が、一体に構成されるガーニッシュ表装板と、前記インナーピース構成部が、一体に構成されるガーニッシュ本体とを、既設のバンパーに取付けることができる。このため、前記ガーニッシュ本体に個別に形成されたインナーピース構成部と、アウターピース構成部とを個別に取付ける必要はなく、取付性は良好であり、製作および組付は容易かつ確実に行える。
【００２２】
また、本考案の請求項４に記載の考案は、請求項１−３の何れかにおいて、前記緩衝リング内に前記排気筒が、３ｍｍ以上の間隙をあけて遊挿されてボルト止めされるので、ディフューザーに遊嵌されるマフラー端部の外周面に設けた緩衝部材がステンレスメッシュにより形成されている特許文献１に記載の上記従来のバンパー一体型マフラー構造では、マフラーの端部を緩衝する緩衝部材がステンレスメッシュであったのとは異なり、緩衝リング内に３ｍｍ以上の間隙をあけて遊挿されたマフラーの排気筒はステンレス製の緩衝リングにより、充分な緩衝機能が発揮され、ステンレス製の緩衝リングにより、インナーピース構成部のマフラー受入口内に遊挿されるマフラーの端部がインナーピース構成部に直接、触れるのが防止され、インナーピース構成部がマフラーからの加熱により変形したり、溶解されるのが防止される。
【００２３】
また、本考案の請求項５に記載の考案によれば、請求項１,２,４の何れかにおいて、前記固定手段が、前記アウターピース構成部の前記外鍔部と前記インナーピース構成部の前記外縁部とは、両面接着テープまたは接着剤を介して接着されるので、アウターピース構成部の外鍔部とインナーピース構成部の外縁部とを両面接着テープまたは接着剤を介して接着することができ、組付けは容易であり、構造堅牢になる。
【００２４】
また、本考案の請求項６に記載の考案によれば、請求項１,２,４の何れかにおいて、前記固着手段が、前記インナーピース構成部の前記外縁部の裏面において、上方の左右および下方中央に設けた取付片を前記バンパーおよび前記ガーニッシュ本体の対応部位置にボルト止めするので、バンパーおよびガーニッシュ本体にインナーピース構成部を取付けるのには、インナーピース構成部の前記外縁部の裏面において、上方の左右および下方中央に設けた取付片を前記バンパーおよび前記ガーニッシュ本体の対応部位置にボルト止めすることにより、迅速かつ確実に取付けることができる。
【００２５】
また、本考案の請求項７に記載の考案によれば、請求項１,２,４,５,６の何れかにおいて、前記インナーピース構成部および前記アウターピース構成部が、合成樹脂により形成されているので、インナーピース構成部およびアウターピース構成部の製作が容易に行え、製作コストは安価になる。また、耐熱性を有する合成樹脂により形成されるインナーピース構成部と、アウターピース構成部とを組付けるのに、インナーピース構成部の外鍔部とアウターピース構成部の前記外縁部とを、例えば両面接着テープまたは接着剤を介して接着することにより、アウターピース構成部と、インナーピース構成部とを接着することができ、組付けは容易であり、そして、バンパーに対してインナーピース構成部およびアウターピース構成部は構造堅牢に取付けられて取付性に優れる。
【００２６】
そして、エンジンからの排気は、耐熱性の合成樹脂により構成されたインナーピース構成部の後端に設けられた小径なマフラー受入口内に取付けられる金属製の緩衝リングによりマフラーの排気筒からの廃熱を直接受けるのを緩衝され、錐状のインナーピース構成部を通じて前方大径口から外部へとスムーズに行われる。
【００２７】
しかも、既設のバンパーまたはバンパーに取付けられる長尺のガーニッシュ本体に開設された適宜形状の排気孔の孔縁に取付けられるアウターピース構成部内にインナーピース構成部が臨まれ、そして、このインナーピース構成部の後端に設けられたマフラー受入口内にマフラーの端部が挿入されるため、外観的にスマート感やスポーツ感が発揮されて見映えがする。
【図面の簡単な説明】
【００２８】
【図１】図１は本考案のマフラー・ガーニッシュ装置の実施形態１を示す分解斜視図である。
【図２】図２は同じくバンパーに取付けた状態の斜視図である。
【図３】図３は同じく本実施形態１のマフラー・ガーニッシュ装置の背面図である。
【図４】図４は同じく斜視図である。
【図５】図５は同じく断面図である。
【図６】図６は本考案のマフラー・ガーニッシュ装置の実施形態２を示す分解斜視図である。
【図７】図７は同じくバンパーに取付けた状態の斜視図である。
【考案を実施するための形態】
【００２９】
以下、図面に従って本考案を実施するための最良の形態につき、本考案の詳細を説明する。
【００３０】
＜実施形態１＞
本実施形態１は、図１乃至図５に示すように、既設のバンパー１に開設された左右１対の適宜形状の排気孔３,３と、正面が適宜形状のリング状をなし、前面から外周部が前記バンパー１に沿った曲面状に立上げられた外鍔部４を外周面に有して前記排気孔３,３の周囲に装設されるアウターピース構成部５,５と、外形全体が錐状に形成され、外周には前記外鍔部４の裏面に連設される外縁部６を有し、内部前面には前記排気孔３,３に連なる前方大径口７ａを、その奥には前記前方大径口７ａから奧に進むのにつれて錐状をなし、後端には小径なマフラー受入口７ｂを有する耐熱性の合成樹脂により構成されたインナーピース構成部７,７と、前記マフラー受入口７ｂ内に取付けられる金属製の緩衝リング８と、前記緩衝リング８内に遊挿されるマフラー９の排気筒１０と、を備えている。なお、図１では、バンバー１の右側のみに開設された排気孔３に、アウターピース構成部５と、インナーピース構成部７とを取付ける場合が代表的に示されているが、バンパー１の左側に開設された左右対称構造の排気孔３にも、アウターピース構成部５と、インナーピース構成部７とを取付けることはいうまでもない。
【００３１】
そして、図１乃至図５に示す本実施形態１では、前記アウターピース構成部５,５および前記インナーピース構成部７,７が、別体に構成され、耐熱性の合成樹脂により構成される前記インナーピース構成部７,７が、前記排気孔３,３内に前面から嵌入されて固着手段１１を介して前記バンパー１に取付けられ、前記アウターピース構成部５,５が、固定手段１２を介してインナーピース構成部７,７に取付けられる。耐熱性の合成樹脂としては、例えばＰＰＥ（ポリフェニレン・エーテル）樹脂、ＡＢＳ樹脂、ＰＣ−ＡＢＳ樹脂、ＰＰ樹脂等が挙げられる。
【００３２】
しかも、本考案のマフラー・ガーニッシュ装置は、ディフュザーがステンレスにより筒状に形成される特許文献１に記載された従来のバンパー一体型マフラー構造では、ステンレス板を成形型により筒状に丸めて筒状体を形成し、次いで、その筒状体の衝合縁部を溶接する溶接作業を必要として多大な時間と手間がかかるのとは異なり、インナーピース構成部７,７が、耐熱性の合成樹脂により構成されているので、成形型を用いることにより容易かつ確実に形成することができ、製作および組立が容易に行え、製作コストは安価になる。
【００３３】
前記緩衝リング８内にマフラー９の前記排気筒１０が、図３および図５に示すように、インナ−ピース構成部７の後端に設けられたマフラー受入口７ｂに対して３ｍｍ以上の間隙Ｋをあけて遊挿されてボルト１３，ワッシャー１４を用いてボルト止めされる。また、緩衝リング８は、本実施形態１では、ステンレス板によりリング状に形成される。
【００３４】
前記固着手段１１は、図１および図３に示すように、前記インナーピース構成部７,７の前記外縁部６の裏面において、上方の左右および下方中央に設けた取付片７ｃ,７ｄ,７ｅを前記バンパー１の対応部位置にボルト１６を用いてボルト止めする。
【００３５】
また、前記固定手段１２が、前記アウターピース構成部５,５の前記外鍔部４と前記インナーピース構成部７,７の前記外縁部６とは、両面接着テープ１５または接着剤を介して接着される。
【００３６】
前記アウターピース構成部５,５が、本実施形態１では、合成樹脂、好ましくは耐熱性の合成樹脂により形成されている。
【００３７】
本考案のマフラー・ガーニッシュ装置の実施形態１は以上の構成からなり、既設のバンパー１に開設された適宜形状の排気孔３,３と、正面が適宜形状のリング状をなし、前面から外周部が前記バンパー１に沿った曲面状に立上げられた外鍔部４を外周面に有して前記排気孔３の周囲に装設されるアウターピース構成部５,５と、外形全体が錐状に形成され、外周には前記外鍔部４の裏面に連設される外縁部６を有し、内部前面には前記排気孔３に連なる前方大径口７ａを、その奥には前記前方大径口７ａから奧に進むのにつれて錐状をなし、後端には小径なマフラー受入口７ｂを有する耐熱性の合成樹脂により構成されたインナーピース構成部７,７と、前記マフラー受入口７ｂ内に取付けられるステンレスのような金属製の緩衝リング８と、前記緩衝リング８内に遊挿されるマフラー９の排気筒１０と、を備えているので、エンジンからの排気は、マフラーの小径の先端部と、マフラーの先端部が遊嵌されている大径のディフューザーとの間に形成される不連続な段差によってマフラーからの排気が乱流を生じてスムーズに行えない特許文献１に記載のバンパー一体型マフラー構造とは異なり、耐熱性の合成樹脂により構成された錐状のインナーピース構成部７,７の後端に設けられた小径なマフラー受入口７ｂ内に取付けられる金属製の緩衝リング８によりマフラーの排気筒からの廃熱を直接受けるのを確実に緩衝され、錐状のインナーピース構成部７,７を通じて前方大径口７ｂから外部へスムーズに行われる。
【００３８】
この際、ステンレス板により形成された緩衝リング８内に、マフラー９の排気筒１０が、図３および図５に示すように、インナーピース構成部７の後端に設けられたマフラー受入口７ｂに対して３ｍｍ以上の間隙Ｋをあけて遊挿されてボルト１３，ワッシャー１４を用いてボルト止めされるので、筒状のディフューザーに遊嵌されるマフラーの端部の外周面に設けた緩衝部材がステンレスメッシュにより形成されている特許文献１に記載の上記従来のバンパー一体型マフラー構造では、マフラーの端部からの排気を緩衝する緩衝部材がステンレスメッシュであったのとは異なり、本実施形態１では、インナーピース構成部７の後端に設けられたマフラー受入口７ｂに対して３ｍｍ以上の間隙Ｋをあけて遊挿された排気筒１０,１０からの排気は、耐熱性の合成樹脂により構成されたインナーピース構成部の後端に設けられた小径なマフラー受入口７ｂ内に取付けられるステンレス製の緩衝リング８により充分な緩衝機能が発揮されるとともに、マフラー９の排気筒１０,１０が、インナーピース構成部７,７に接触されるのが確実に阻止され、インナーピース構成部７,７がマフラー９からの加熱により、熱変形されたり、溶解されるのが防止され、錐状のインナーピース構成部７を通じて前方大径口７ａから外部へ円滑かつ確実に行われる。
【００３９】
また、本実施形態１のマフラー・ガーニッシュ装置は、ディフュザーがステンレスにより筒状に形成される特許文献１に記載された従来のバンパー一体型マフラー構造では、ステンレス板を成形型により筒状に丸めて筒状体を形成し、次いで、その筒状体の衝合縁部を溶接する溶接作業を必要としていた点で多大な時間と手間がかかるのとは異なり、インナーピース構成部７,７が、耐熱性の合成樹脂により構成されているので、インナーピース構成部７は、成形型を用いることにより容易かつ確実に形成することができ、製作および組立が容易に行え、製作コストは安価になる。
【００４０】
そして、バンパー１に対してアウターピース構成部５,５およびインナーピース構成部７,７は構造堅牢に取付けられて取付性に優れる。しかも、図２に示すように、既設のバンパー１に開設された適宜形状の排気孔３,３の孔縁に取付けられるアウターピース構成部５,５内にインナーピース構成部７,７が臨まれ、そして、このインナーピース構成部７,７の後端に設けられたマフラー受入口７ｂ,７ｂ内にマフラー９の排気筒１０,１０の端部１０ａ,１０ａが挿入されるため、外観的にスマート感やスポーツ感が発揮されて見映えがする。
【００４１】
そして、図１乃至図５に示す本実施形態１では、前記アウターピース構成部５,５と前記インナーピース構成部７,７とが別体に構成され、耐熱性の合成樹脂により構成される前記インナーピース構成部７,７が、前記排気孔３,３内に前面から嵌入されて固着手段１１を介して前記バンパー１に取付けられ、前記アウターピース構成部５,５が、固定手段１２を介してインナーピース構成部７,７に取付けられるため、取付性が良い。
【００４２】
しかも、本実施形態１は、ディフュザーがステンレスにより筒状に形成される特許文献１に記載された従来のバンパー一体型マフラー構造では、ステンレス板を成形型により筒状に丸めて筒状体が形成され、次いで、その筒状体の衝合縁部を溶接する溶接作業を必要として多大な時間と手間がかかるのとは異なり、インナーピース構成部７,７が、耐熱性の合成樹脂により構成されているので、成形型を用いることにより容易かつ確実に形成することができ、製作および組立が容易に行え、製作コストは安価になると共に、何等継ぎ目が生ぜず、見映えがする。
【００４３】
そして、前記固定手段１２が、両面接着テープ１５または接着剤であるので、インナーピース構成部５,５の前記外鍔部４と前記インナーピース構成部７,７の前記外縁部６とは、両面接着テープ１５または接着剤を介して接着することができ、組付けは容易になり、構造堅牢に取付けが行える。
【００４４】
また、前記インナーピース構成部７,７の前記外縁部６の裏面において、上方の左右および下方中央に設けた取付片７ｃ,７ｄ,７ｅを前記バンパー１の対応部位置にボルト１６を用いてボルト止めすることにより、バンパー１にインナーピース構成部７,７を取付けるのには、インナーピース構成部７,７の前記外縁部６の裏面において、上方の左右および下方中央に設けた取付片７ｃ,７ｄ,７eを前記バンパー１の対応部位置にボルト１６を用いてボルト止めすればよい。
【００４５】
そして、バンパー１に対してアウターピース構成部５,５およびインナーピース構成部７,７は構造堅牢に取付けられ、取付性に優れる。しかも、既設のバンパー１に開設された適宜形状の排気孔３,３の孔縁に取付けられるアウターピース構成部５,５内にインナーピース構成部７,７が臨まれ、そして、このインナーピース構成部７,７の後端に設けられたマフラー受入口７ｂ内にマフラー９の排気筒１０,１０の端部１０ａ,１０ａが挿入されるため、外観的にスマート感やスポーツ感が発揮されて見映えがする。
【００４６】
＜実施形態２＞
また、図６および図７に示すものは、本考案の実施形態２であり、この実施形態２は、
前記実施形態１が、別体に構成した左右のアウターピース構成部５,５と、左右のインナ−ピース構成部７,７とをバンパー１の左右に開設した排気孔３,３に取付けるのに代えて、合成樹脂により左右の前記アウターピース構成部５,５が、長尺のガーニッシュ表装板２′に一体に構成され、耐熱性の合成樹脂により左右の排気孔３,３が開設された前記インナーピース構成部７,７が、バンパー１に取付けられる長尺の前記ガーニッシュ本体２に一体に構成され、そして、前記ガーニッシュ表装板２′が、前記ガーニッシュ本体２に適宜取付手段２０により取付けられる点が前記実施形態１とは異なる構成であるほかは、前記実施形態１と同様の構成である。
【００４７】
前記取付手段２０としては、例えば両面接着テープを用いるか、または接着剤を用いて接着する方法が挙げられる。また、前記ガーニッシュ表装板２′とともに、前記ガーニッシュ本体２を既設のバンパー１に取付けるのには、例えばガーニッシュ本体２の裏面下部に左右対称的に装着された取付片２１や取付部２１′をビス２２を用いてビス止めしたり、図には示さないがクリップを用いて取付けることができる。
【００４８】
そして、本実施形態２では、合成樹脂により左右のアウターピース構成部５,５が一体に構成されたガーニッシュ表装板２′と、耐熱性の合成樹脂により左右の前記インナーピース構成部７,７が一体に構成されたガーニッシュ本体２とを、例えばガーニッシュ本体２の裏面下部に左右対称的に装着された取付片２１や取付部２１′をビス２２を用いてビス止めしたり、図には示さないがクリップを用いて既設のバンパー１に取付けることができる。このため、実施形態１では、前記ガーニッシュ本体２に個別に形成された左右のインナーピース構成部７,７と、アウターピース構成部５,５とを個別に取付けるのとは異なり、本実施形態２では、左右のアウターピース構成部５,５と、左右のインナーピース構成部７,７とを迅速かつ確実に既設のバンパー１に取付けることができ、多くの時間と労力とが省け、取付性は良好であり、製作および組付は容易かつ確実に行えるという、効果がある。
【産業上の利用可能性】
【００４９】
本考案は、運転時にマフラーからの排気がスムーズに行われ、また、製作および組立が容易であり、そして、バンパーに対してアウターピース構成部およびインナーピース構成部は構造堅牢に取付けられて取付性に優れ、しかも、外観的にスマート感やスポーツ感が発揮されて見映えがし、製作コストが安価になる、用途・分野に適する。
【符号の説明】
【００５０】
１    バンパー
２    ガーニッシュ本体
２′  ガーニッシュ表装板
３    排気孔
４    外鍔部
５    アウターピース構成部
６    外縁部
７    インナーピース構成部
７ａ  前方大径口
７ｂ  マフラー受入口
８    緩衝リング
９    マフラー
１０  排気筒
１１  固着手段
１２  固定手段
【図１】
0003167024.tif 000003
【図２】
0003167024.tif 000004
【図３】
0003167024.tif 000005
【図４】
0003167024.tif 000006
【図５】
0003167024.tif 000007
【図６】
0003167024.tif 000008
【図７】
0003167024.tif 000009